(57)【要約】【課題】風呂水給水用ポンプ内の詰まりを抑制して、風呂水給水を確実に行うことのできる洗濯機を提供する。【解決手段】洗濯槽と、水道水を給水するための主給水弁と、風呂水を給水するための補助給水弁と、風呂水を吸い上げるための風呂水給水用ポンプとを備えた洗濯機において、前記主給水弁からの通水経路と前記補助給水弁からの通水経路が結合した共用通水経路と、前記共用通水経路の下流に設けられて前記洗濯槽に通水する通水弁と、を備え、風呂水最終給水後の洗い行程またはすすぎ行程の給水終了時に、前記通水弁を閉じた状態で前記主給水弁から水道水を前記風呂水給水用ポンプ内へ通水した後、前記風呂水給水用ポンプの起動と停止または正転と逆転を繰り返す。【選択図】  図３
2016022287.tif 000002
【特許請求の範囲】
【請求項１】
洗濯槽と、水道水を給水するための主給水弁と、風呂水を給水するための補助給水弁と、風呂水を吸い上げるための風呂水給水用ポンプとを備えた洗濯機において、前記主給水弁からの通水経路と前記補助給水弁からの通水経路が結合した構造の共用通水経路と、前記共用通水経路の下流に設けられて前記洗濯槽に通水する通水弁と、を備え、風呂水最終給水後の洗い行程またはすすぎ行程の給水終了時に、前記通水弁を閉じた状態で前記主給水弁から水道水を前記風呂水給水用ポンプ内へ通水した後、前記風呂水給水用ポンプの起動と停止を繰り返すことを特徴とする洗濯機。
【請求項２】
洗濯槽と、水道水を給水するための主給水弁と、風呂水を給水するための補助給水弁と、風呂水を吸い上げるための風呂水給水用ポンプとを備えた洗濯機において、前記主給水弁からの通水経路と前記補助給水弁からの通水経路が結合した構造の共用通水経路と、前記共用通水経路の下流に設けられて前記洗濯槽に通水する通水弁と、を備え、風呂水最終給水後の洗い行程またはすすぎ行程の給水終了時に、前記通水弁を閉じた状態で前記主給水弁から水道水を前記風呂水給水用ポンプ内へ通水した後、前記風呂水給水用ポンプの正転と逆転を繰り返すことを特徴とする洗濯機。
【発明の詳細な説明】
【技術分野】
【０００１】
本発明は洗濯機の制御に関する。
【背景技術】
【０００２】
環境意識への高まりから、風呂水を洗濯に利用することが増加している。風呂水を洗濯機に供給する場合は、通常、ポンプが用いられる。多くの全自動洗濯機は、この風呂水給水用ポンプを内蔵しており、風呂水給水用ポンプの吸入口に接続したホースの先端を風呂水の中に浸漬し、複数の洗濯コースのうちから、風呂水を使用するコースを選択すると、洗剤洗いのための給水時、およびすすぎ洗いのための給水時に風呂水給水用ポンプが給水動作を行って、風呂水を洗濯槽内に供給するようになっている。
【先行技術文献】
【特許文献】
【０００３】
【特許文献１】特開２００７−２０２７３９号公報
【発明の概要】
【発明が解決しようとする課題】
【０００４】
しかし、風呂水は、水道水などの上水に消毒のために添加されている残留塩素が失われており、人体由来の汗や皮脂などの有機物を含み、また、温度も菌の繁殖に適した３０〜４０℃であるため、風呂水給水用ポンプ内に風呂水を通水したまま放置しておくと、風呂水給水用ポンプ内のヌメリやノロの発生原因となる。このことにより、風呂水給水用ポンプ内の水の流れが悪くなり、最終的に風呂水給水用ポンプ内が詰まって、風呂水吸水性能が低下する。
【０００５】
特許文献１では、水道水と風呂水の通水経路を同一にした給水ユニットの構造を開示しているが、水道水を風呂水給水用ポンプ内に通水した後、風呂水給水用ポンプの詰まりを抑制する適切な制御に関しては、開示していない。
【０００６】
本発明は、このような事情に鑑みてなされたものであり、風呂水給水用ポンプ内の詰まりを抑制して、風呂水給水を確実に行うことのできる洗濯機を提供することを目的とする。
【課題を解決するための手段】
【０００７】
前記目的を達成するため、本発明に係る洗濯機は、洗濯槽と、水道水を給水するための主給水弁と、風呂水を給水するための補助給水弁と、前記洗濯槽に通水するための通水弁と、風呂水を吸い上げるための風呂水給水用ポンプとを備えた洗濯機において、前記主給水弁からの通水経路と前記補助給水弁からの通水経路が結合した構造の通水経路を備え、風呂水最終給水後の洗い行程またはすすぎ行程の給水終了時に、水道水を前記風呂水給水用ポンプ内へ通水した後、前記風呂水給水用ポンプの起動・停止を繰返す、または前記風呂水給水用ポンプの正転・逆転を繰返すことで前記風呂水給水用ポンプを振動運転させる制御を行うことを特徴とする。
【発明の効果】
【０００８】
本発明によれば、ヌメリやノロの発生原因となる有機物を風呂水給水用ポンプ内から排出することができるため、風呂水給水用ポンプ内の詰まりを抑制し、風呂水吸水性能が低下することなく、洗濯運転時に風呂水を確実に供給可能な洗濯機を提供できる。
【図面の簡単な説明】
【０００９】
【図１】本発明の一実施例における制御内容を示すフローチャートである。
【図２】本発明の一実施例における洗い行程の内容を示すフローチャートである。
【図３】本発明の一実施例における風呂水給水用ポンプの振動運転の内容を示すフローチャートである。
【図４】本発明の一実施例の形態を示す操作パネルの図である。
【図５】本発明の一実施例の形態を示すブロック図である。
【図６】本発明の一実施例の形態を示す洗濯機の外観斜視図である。
【図７】本発明の一実施例の形態を示す洗濯機の背面カバーを外して内部構造を示す背面図である。
【図８】本発明の一実施例の形態を示す洗濯機の水の流路の模式図である。
【図９】本発明の一実施例の形態を示す風呂水給水用ポンプの外観斜視図である。
【発明を実施するための形態】
【００１０】
以下、本発明の一実施例を図面に基づいて説明する。図１は本発明の一実施例における制御内容を示すフローチャート、図２は本発明の一実施例における洗い行程の内容を示すフローチャート、図３は本発明の一実施例における風呂水給水用ポンプの振動運転の内容を示すフローチャート、図４は本発明の一実施例の形態を示す操作パネル図、図５は本発明の一実施例の形態を示すブロック図、図６は本発明の一実施例の形態を示す洗濯機の外観斜視図、図７は本発明の一実施例の形態を示す洗濯機の背面カバーを外して内部構造を示す背面図、図８は本発明の一実施例の形態を示す洗濯機の水の流路の説明模式図、図９は本発明の一実施例の形態を示す風呂水給水用ポンプの外観斜視図である。
【００１１】
図５と図６と図７に示す本実施例の洗濯機は、不揮発性記憶手段１４を備えたマイクロコンピュータ１３と駆動回路１９と通水弁７,風呂水給水用ポンプ９，主給水弁２４，補助給水弁２５などの出力装置６〜１０,２１,２２，２４，２５と入力装置１５〜１８,２０,２３と電源４とリレー５により構成される。操作パネル１の電源「入」スイッチ１２１が押されると、コンセントから供給される電源が整流回路により変圧、整流され、マイクロコンピュータ１３が通電しリレー５が入る。マイクロコンピュータ１３には、蓋ロック検知１５、水位センサ１６、振動センサ１７、回転センサ１８、操作スイッチ２０、モータ電流センサ２３等からの入力信号が与えられ、予め定められたプログラムに従い、モータ６，通水弁７、排水弁８、風呂水給水用ポンプ９、循環ポンプ１０、主給水弁２４、補助給水弁２５等を制御する。駆動回路１９はマイクロコンピュータ１３からの指示に従って導通状態を制御して従属する負荷への給電制御を行い、洗い、すすぎ、脱水の各行程を実行する。洗濯が終了すると、マイクロコンピュータ１３からの信号でリレー５を切り、電源の供給を遮断する。
【００１２】
図４に示す操作パネルは、洗い時間、すすぎ回数、脱水時間、乾燥時間を設定するキー１０７〜１１０と、洗濯コース、洗乾コース、乾燥コースを設定するキー１０３〜１０５と、スタート・一時停止キー１０６と、洗い時間、すすぎ回数、脱水時間、乾燥時間を表示する７セグメントＬＥＤ１１１〜１１４と、行程の残時間を表示する７セグメントＬＥＤ１１５と、コースを表示するＬＥＤ１１６から構成される。
【００１３】
実施例の洗濯機において、運転コースは最大１２コース（１１６）、洗い時間は０〜９９分（１１１）、すすぎ回数は０〜９回（１１２）、脱水時間は０〜９分（１１３）、乾燥時間は０〜９９分（１１４）である。
【００１４】
＜実施例＞
実施例の一連動作を図１のフローチャートに示す。
【００１５】
まず、電源投入後、洗濯機のイニシャル時の設定コースをＬＥＤと７セグメントＬＥＤで表示(Ｓ１０１)する。洗濯コースと洗い時間、すすぎ回数、脱水時間、乾燥時間、風呂水利用の有無を設定し、スタート・一時停止キーを押下することで、設定されたコースを実行する。
【００１６】
洗い行程では、図２のフローチャートに示すように、初期水位判定(Ｓ１２０)を行い、洗濯槽内に水が入っていなければ、洗剤量センシング(Ｓ１２１)を行う。その後、センシングした結果を基に、洗濯に必要な水量が決定し、通水弁７を開き、決定した水量の分だけ洗濯槽内に給水(Ｓ１２２)する。このとき、運転前に風呂水での給水が設定されていれば(Ｓ１２３)、風呂水給水用ポンプ９を起動し、補助給水弁２５を開き、風呂水を給水(Ｓ１２４)する。風呂水での給水が設定されていなければ、主給水弁２４を開き、水道水を給水(Ｓ１２５)する。洗濯槽内に必要な分だけ水が溜まったとき、給水時に開いた主給水弁２４または補助給水弁２５を閉じ、風呂水給水用ポンプ９を停止する。風呂水最終給水(すすぎ行程無しで洗い行程で風呂水利用)後であれば(Ｓ１２６)、通水弁７を閉じた後、水道圧により風呂水給水用ポンプ９内部の通水量に差がでないように調整した時間だけ、主給水弁２４を開き、水道水を風呂水給水用ポンプ９内に通水する。風呂水給水用ポンプ９内に水道水が行き渡ると、風呂水給水用ポンプ９を振動運転(Ｓ１２７)（例えば１秒周期で起動・停止を繰返す運転、または１秒周期で正転・逆転を繰返す運転）させる。風呂水給水用ポンプ９の振動運転が終了した後、洗いの攪拌パターンを実行(Ｓ１２８)する。
【００１７】
すすぎ行程でも、洗い行程と同様に、運転前に風呂水での給水が設定されていれば、すすぎ給水終了後の風呂水最終給水後に、水道圧により風呂水給水用ポンプ９内部の通水量に差がでないように調整した時間だけ、主給水弁２４を開き、水道水を風呂水給水用ポンプ９内に通水する。風呂水給水用ポンプ９内に水道水が行き渡ると、風呂水給水用ポンプ９を振動運転（例えば１秒周期で起動・停止を繰返す運転、または１秒周期で正転・逆転を繰返す運転）させる。
【００１８】
風呂水給水用ポンプ９の振動運転は、図３のフローチャートに示すように、通水弁７を開いた状態(Ｓ１３０)で給水経路内を排水する（給水時に開いた主給水弁２４または補助給水弁２５は閉じている）。給水経路内の排水が完了すれば(Ｓ１３１)、通水弁７を閉じ(Ｓ１３２)、主給水弁２４を開き(Ｓ１３３)、水道圧により風呂水給水用ポンプ９内部の通水量に差がでないように調整した時間だけ、水道水を給水(Ｓ１３４)する。風呂水給水用ポンプ９内に給水が完了すれば(Ｓ１３５)、主給水弁２４を閉じ(Ｓ１３６)、風呂水給水用ポンプ９を振動運転(Ｓ１３７)させる。風呂水給水用ポンプ９の振動運転を５サイクル実施すれば(Ｓ１３８)、通水弁７を開き(Ｓ１３９)、給水経路内を排水する。給水経路内の排水が完了すれば(Ｓ１４０)、通水弁７を閉じ(Ｓ１４１)、風呂水給水用ポンプ９の振動運転を終了する。
【００１９】
図９の風呂水給水用ポンプ９の構造例に示すように、水の流れが悪い風呂水通水口付近や、洗濯槽への通水口付近まで水道水を通水した後、風呂水給水用ポンプ９を振動運転させることで、通常の風呂水給水用ポンプ９の動作では取りきれないヌメリやノロの発生原因となる有機物を取り、風呂水給水用ポンプ９内の詰まりを抑制する。
【００２０】
すすぎ行程終了後、運転前に設定されたコースに従って、脱水行程及び乾燥行程を実行し、運転終了後に電源を自動で切る。
【００２１】
上記実施例は、ドラム式洗濯機を例に説明したが、縦型式洗濯機に関しても同様に適用できる。
【符号の説明】
【００２２】
１  操作パネル
４  電源
５  リレー
６  モータ
７  通水弁
８  排水弁
９  風呂水給水用ポンプ  
１０  循環ポンプ
１３  マイクロコンピュータ
１４  不揮発性記憶手段  
１５  蓋ロック検知
１６  水位センサ
１７  振動センサ
１８  回転センサ
２０  操作スイッチ
２１  ＬＥＤ表示回路
２２  ブザー回路
２３  モータ電流センサ
２４  主給水弁
２５  補助給水弁
【図１】
2016022287.tif 000003
【図２】
2016022287.tif 000004
【図３】
2016022287.tif 000005
【図４】
2016022287.tif 000006
【図５】
2016022287.tif 000007
【図６】
2016022287.tif 000008
【図７】
2016022287.tif 000009
【図８】
2016022287.tif 000010
【図９】
2016022287.tif 000011